(57)【特許請求の範囲】
【請求項１】
風を発生する送風装置と、濡れ手を挿入し乾燥する手乾燥室と、手乾燥室の入口近傍に設けた送風装置が発生する風を噴流に変えて吐出する噴流吐出ノズルと、手乾燥室の奥に設けた吸入口と、前記送風装置と噴流吐出ノズルとの間を接続する送風通路と、前記吸入口と送風装置との間を接続する吸い込み通路と、前記送風通路または吸い込み通路に設けたオゾンを発生するオゾン発生装置とを備え、前記噴流吐出ノズルから噴出した気流は、前記手乾燥室内を通過してその奥に設けた前記吸入口から前記吸い込み通路を通って前記送風装置へ戻る循環を行い濃縮されたオゾンを手に衝突させることを特徴とする手乾燥装置。
【請求項２】
オゾン発生装置は、乾燥開始の初期段階に動作させる請求項１に記載した手乾燥装置。
【請求項３】
手乾燥室は、表面に塗布した酸化チタンと紫外線灯とを有する請求項１および２に記載した手乾燥装置。
【発明の詳細な説明】
【０００１】
【発明の属する技術分野】
本発明は、洗面所やトイレ・キッチン等で使用する、洗った後の濡れ手を乾かすために用いる手乾燥装置に関するものである。
【０００２】
【従来の技術】
従来使用している手乾燥装置は図５に示すような構成となっている。これは、送風装置１が送風した空気をヒータ２によって加熱し、送風口３から排出される温風によって濡れ手４を乾燥するもので、タオルやハンカチ等で手を拭くという動作に代わるものである。このとき使用者は濡れた手を揉むなどして、濡れた手に程良く温風が当たるようにして手を速く乾燥させている。
【０００３】
【発明が解決しようとする課題】
前記従来の構成の手乾燥装置は、送風口に埃や雑菌が付着したりしており、手に当たる風が不潔なものになるという課題を有している。
【０００４】
【課題を解決するための手段】
本発明は、風を発生する送風装置と、濡れ手を挿入し乾燥する手乾燥室と、手乾燥室の入口近傍に設けた送風装置が発生する風を噴流に変えて吐出する噴流吐出ノズルと、手乾燥室の奥に設けた吸入口と、前記送風装置と噴流吐出ノズルとの間を接続する送風通路と、前記吸入口と送風装置との間を接続する吸い込み通路と、前記送風通路または吸い込み通路に設けたオゾンを発生するオゾン発生装置とを備え、前記噴流吐出ノズルから噴出した気流は、前記手乾燥室内を通過してその奥に設けた前記吸入口から前記吸い込み通路を通って前記送風装置へ戻る循環を行い、オゾン発生装置が発生するオゾンを噴流吐出ノズルが発生する高速噴流中に混入して繰り返し濡れた手に吹き付け、濃縮されたオゾンによって手を殺菌すると共に短時間で手を乾燥する手乾燥装置としている。
【０００６】
【発明の実施の形態】
請求項１に記載した発明は、送風装置と噴流吐出ノズルとの間を接続する送風通路と、その入口近傍に前記噴流吐出ノズルとその奥に吸入口を設けた手乾燥室内と、前記吸込口と送風装置との間を接続する吸い込み通路とが送風装置が送風する気流を還流させる構成となっており、この吸い込み通路中に配置したオゾン発生装置によって発生するオゾンが濃縮された状態で手に当たり強力な殺菌が出来ると共に短時間で手を乾燥できる手乾燥装置としている。
【０００７】
請求項２に記載した発明は、オゾン発生装置を乾燥開始の初期段階で動作させるようにして、乾燥終了時にはオゾンによる影響が残らない手乾燥装置としている。
【０００８】
請求項３に記載した発明は、手乾燥室の表面に塗布した酸化チタンと紫外線灯とが光り触媒効果によって悪臭を脱臭し、乾燥・殺菌・脱臭が可能な手乾燥装置としている。
【０００９】
【実施例】
（実施例１）
以下本発明の第１の実施例について説明する。図１は、本実施例の手乾燥装置の構成を示す斜視図である。本実施例の手乾燥装置５は、風を発生する送風装置４と、濡れ手を挿入し乾燥する手乾燥室８と、送風装置４と手乾燥室８とを接続する送風通路６と、オゾンを発生するオゾン発生装置７とから構成している。手乾燥装置５は、濡れた手を挿入する前面が開口部となっている手乾燥室８と、手乾燥室８に設けている前記送風装置４が発生する風を噴流に変えて吐出する噴流吐出ノズル９を有している。オゾン発生装置７は、本実施例では送風装置４に設けており、高電圧によるアークによってオゾンを発生させる構成としている。発生したオゾンは送風通路６内に導入されて、送風装置４が送風する気流と共に手乾燥室８に到達するものである。なお、本実施例の送風装置４が送風する風量は１〜５ｍ3／ｍｉｎ程度としている。
【００１０】
以下本実施例の動作について説明する。使用者が手乾燥室８内に濡れた手を挿入すると、図示していないセンサが手の挿入を検知して、送風装置４とオゾン発生装置７を駆動する。送風装置４が送風する気流は、送風通路６を通って手乾燥室８に設けている噴流吐出ノズル９から高速噴流として吹き出される。このとき同時にオゾン発生装置が駆動されており、発生したオゾンは送風通路６を通って噴流吐出ノズル９から高速噴流と共に手乾燥室８内に噴出される。従って手乾燥室８内に挿入された手には、高速噴流とオゾンとが衝突するものである。こうして手に付着している水分は高速噴流によって引き剥がされ、濡れた手は短時間で乾燥する。またこのとき、オゾンによって手は殺菌されるものである。
【００１１】
以上のように本実施例によれば、手を殺菌すると共に短時間で手を乾燥することが出来る手乾燥装置を実現するものである。
【００１２】
（実施例２）
続いて本発明の第２の実施例について説明する。図２は本実施例の構成を示す内部透過斜視図である。１０は筐体内に設けている風を発生する送風装置で、電動送風機によって構成している。１１は前面を開口した濡れ手を挿入して乾燥する手乾燥室で、入口近傍には噴流吐出ノズル１２・１３を有している。送風装置１０と前記噴流吐出ノズル１２・１３との間の空間部は、送風装置１０が送風する気流が送風される送風通路１７となっている。また前記手乾燥室１１は、奥に吸入口１４を有している。吸入口１４は、吸入口１４に続いている空間部１６に接続している。前記空間部１６は、吸入口１４と送風装置１０との間を接続する吸い込み通路として作用するものである。また空間部１６には、オゾンを発生するオゾン発生装置１５を設けている。
【００１３】
以下本実施例の動作について説明する。本実施例では、送風装置１０が送風する気流は、送風装置１０と手乾燥室１１との間を循環するものである。すなわち、送風装置１０が送風する気流は、噴流吐出ノズル１２・１３との間の空間である送風通路１７を通って噴流吐出ノズル１２・１３から高速噴流として吹き出され、手乾燥室１１の奥に設けている吸入口１４から空間部１６を通って送風装置１０に戻る循環を行うものである。このとき本実施例では、オゾン発生装置１５を空間部１６に設けているものである。従って発生するオゾンは前記循環する気流に乗って循環しているものである。このため、手乾燥室１１に挿入した手にはオゾンが繰り返し衝突するものであり、結果的に濃縮されたオゾンが手に衝突する。従って本実施例によれば、実施例１の構成のものよりも確実に手が殺菌されるものである。
【００１４】
もちろん本実施例では、送風装置１０と乾燥室１１とを同一の筐体に収容した構成としているものであるが、実施例１で説明したようなセパレート構成のものに適用することも可能である。この場合には、図１で説明した送風通路６に加えて、手乾燥室８から戻る気流を送風装置４まで案内するリターン通路を使用するものである。
【００１５】
以上のように本実施例によれば、発生するオゾンが濃縮された状態で手に当たり強力な殺菌が出来る手乾燥装置を実現するものである。
【００１６】
（実施例３）
次に本発明の第３の実施例について説明する。図３は本実施例の構成を示す内部透過斜視図である。本実施例では、オゾン発生装置１５の動作をコントロールするオゾン発生コントローラ１８を使用しているものである。
【００１７】
このため、オゾン発生装置１５が発生するオゾンは、発生時間を自由にコントロールされるものであり、本実施例では乾燥を開始した初期に大量のオゾンを発生させ、時間の経過と共にオゾン発生量を減少させている。従って本実施例によれば、乾燥を開始した初期に手が強く殺菌され、乾燥の進行と共に高圧噴流による乾燥のみとなるものである。つまり、手に当たるオゾンの量が多くなりすぎないように、また乾燥終了時にはオゾンによる影響が残らないように制御できる手乾燥装置を実現するものである。
【００１８】
（実施例４）
続いて本発明の第４の実施例について説明する。図４は本実施例の構成を示す斜視図である。本実施例では、手乾燥室１１を構成する壁面２０に酸化チタンを塗布している。また、手乾燥室１１に紫外線灯２１を配置している。
【００１９】
以下本実施例の動作について説明する。紫外線灯２１が発生する紫外線が壁面２０に塗布した酸化チタンに当たると、公知の触媒効果が発生するものである。すなわち、悪臭を脱臭するものである。従って手の乾燥中に紫外線灯２１を点灯するようにすれば、乾燥・殺菌・脱臭が可能な手乾燥装置を実現できるものである。
【００２１】
【発明の効果】
請求項１に記載した発明は、風を発生する送風装置と、濡れ手を挿入し乾燥する手乾燥室と、手乾燥室の入口近傍に設けた送風装置が発生する風を噴流に変えて吐出する噴流吐出ノズルと、手乾燥室の奥に設けた吸入口と、前記送風装置と噴流吐出ノズルとの間を接続する送風通路と、前記吸入口と送風装置との間を接続する吸い込み通路と、前記送風通路または吸い込み通路に設けたオゾンを発生するオゾン発生装置とを備えた構成として、前記噴流吐出ノズルから噴出した気流は、前記手乾燥室内を通過してその奥に設けた前記吸入口から前記吸い込み通路を通って前記送風装置へ戻る循環を行うことで、オゾンを濃縮した状態で手に衝突させて、強力な殺菌が出来ると共に短時間で手を乾燥できる手乾燥装置を実現するものである。
【００２２】
請求項２に記載した発明は、オゾン発生装置は、乾燥開始の初期段階に動作させる構成として、乾燥終了時にはオゾンによる影響が残らない手乾燥装置を実現するものである。
【００２３】
請求項３に記載した発明は、手乾燥室は、表面に塗布した酸化チタンと紫外線灯とを有する構成として、乾燥・殺菌・脱臭が可能な手乾燥装置を実現するものである。
【図面の簡単な説明】
【図１】  本発明の第１の実施例である手乾燥装置の構成を示す斜視図
【図２】  本発明の第２の実施例である手乾燥装置の構成を示す内部透過斜視図
【図３】本発明の第３の実施例である手乾燥装置の構成を示す内部透過斜視図
【図４】本発明の第４の実施例である手乾燥装置の構成を示す斜視図
【図５】従来の手乾燥装置の構成を示す説明図
【符号の説明】
４    送風装置
５    手乾燥装置
６    送風通路
７    オゾン発生装置
８    手乾燥室
９    噴流吐出ノズル
１０  送風装置
１１  手乾燥室
１２  噴流吐出ノズル
１３  噴流吐出ノズル
１４  吸入口
１５  オゾン発生装置
１６  吸い込み通路
１７  送風通路
１８  オゾンコントローラ
２０  酸化チタンを塗布した壁面
２１  紫外線灯
【図１】
0003903564.tif 000002
【図２】
0003903564.tif 000003
【図３】
0003903564.tif 000004
【図４】
0003903564.tif 000005
【図５】
0003903564.tif 000006